(57)【要約】【課題】背ボトムの起立動作によってベッド利用者の腹部に圧迫感を与えてしまう事態を、機構の複雑化を招くことなく、効果的に防止できるようにする。【解決手段】 駆動軸７が正転されたときに、背ボトム２が起立されると共に、背ボトム２がベッドのヘッド側Ｈにスライド移動されるようになっている。臀部下ボトム３を、この臀部下ボトム３におけるベッドのヘッド側Ｈの端部を自由端３ｆとするように回動可能に備えさせている。背ボトム２に臀部下ボトム３の自由端３ｆの被載置部３ｉに対する載置部２ｇを備えさせている。【選択図】図２
2019010238.tif 000002
【特許請求の範囲】
【請求項１】
ベッドを構成するボトムを支持するフレームに対し、前記ボトムを構成するベッド利用者の背部下に位置する背ボトムを、駆動手段による起伏動可能で、かつ、起立動作時にベッドのヘッド側にスライド移動されるように備えさせると共に、
前記ボトムを構成するベッド利用者の臀部下に位置する臀部下ボトムを、この臀部下ボトムにおけるベッドのヘッド側の端部を自由端とするように前記フレームに回動可能に備えさせており、
前記背ボトムに前記臀部下ボトムの前記自由端の被載置部に対する載置部を備えさせてなる、電動ベッドのボトムの動作機構。
【請求項２】
ベッドを構成するボトムを支持するフレームに備えられたベッドの長さ方向に延びるレール部と、
前記ボトムを構成するベッド利用者の背部下に位置する背ボトムにおけるベッドのフット側の端部に備えられて前記レール部に案内される被案内部と、
前記フレームに架設された駆動軸から延び出してその延び出し端を前記背ボトムの裏面部に対する摺接部とするリフトアーム体と、
前記駆動軸から延び出す連係アーム体と、
前記連係アーム体の延び出し端と背ボトムとを連係するリンク体とを備え、
駆動手段により前記駆動軸が正転されたときに、摺接部を上方に移動させるリフトアーム体によって前記被案内部を中心として前記背ボトムが起立されると共に、前記連係アーム体によって背ボトムがベッドのヘッド側にスライド移動されるようになっており、
さらに、前記ボトムを構成するベッド利用者の臀部下に位置する臀部下ボトムを、この臀部下ボトムにおけるベッドのヘッド側の端部を自由端とするように前記フレームに回動可能に備えさせており、
前記背ボトムに前記臀部下ボトムの前記自由端の被載置部に対する載置部を備えさせてなる、電動ベッドのボトムの動作機構。
【発明の詳細な説明】
【技術分野】
【０００１】
この発明は、電動ベッドのボトムの一部となる背ボトムを、伏倒位置と所定の起立位置とに亘る起伏動作させるために電動ベッドに適用される動作機構の改良に関する。
【背景技術】
【０００２】
背ボトムを起立させる機能を備えた電動ベッドにおいて、背ボトムを固定された一つの軸を中心に単純に起立動作させるようにしてしまうと、背ボトムの起立量が増えるに従ってボトム上に載置されるマットレスの屈曲中心がベッドのフット側にシフトしてしまうため、前記起立動作時にベッド利用者の腹部に圧迫感を与えてしまう。こうしたことから、背ボトムの起立動作時に背ボトムをベッドのヘッド側にスライド移動させるようにした機構が提案されているところである。（特許文献１及び２参照）
【先行技術文献】
【特許文献】
【０００３】
【特許文献１】特許第２９２７４１９号公報
【特許文献２】特開２０１５−１９２号公報
【発明の概要】
【発明が解決しようとする課題】
【０００４】
この発明が解決しようとする主たる問題点は、背ボトムの起立動作によってベッド利用者の腹部に圧迫感を与えてしまう事態を、機構の複雑化を招くことなく、より効果的に防止できるようにする点にある。
【課題を解決するための手段】
【０００５】
前記課題を達成するために、この発明にあっては、第一の観点から、電動ベッドのボトムの動作機構を、ベッドを構成するボトムを支持するフレームに対し、前記ボトムを構成するベッド利用者の背部下に位置する背ボトムを、駆動手段による起伏動可能で、かつ、起立動作時にベッドのヘッド側にスライド移動されるように備えさせると共に、
前記ボトムを構成するベッド利用者の臀部下に位置する臀部下ボトムを、この臀部下ボトムにおけるベッドのヘッド側の端部を自由端とするように前記フレームに回動可能に備えさせており、
前記背ボトムに前記臀部下ボトムの前記自由端の被載置部に対する載置部を備えさせてなるものとした。
【０００６】
また、前記課題を達成するために、この発明にあっては、第二の観点から、電動ベッドのボトムの動作機構を、ベッドを構成するボトムを支持するフレームに備えられたベッドの長さ方向に延びるレール部と、
前記ボトムを構成するベッド利用者の背部下に位置する背ボトムにおけるベッドのフット側の端部に備えられて前記レール部に案内される被案内部と、
前記フレームに架設された駆動軸から延び出してその延び出し端を前記背ボトムの裏面部に対する摺接部とするリフトアーム体と、
前記駆動軸から延び出す連係アーム体と、
前記連係アーム体の延び出し端と背ボトムとを連係するリンク体とを備え、
駆動手段により前記駆動軸が正転されたときに、摺接部を上方に移動させるリフトアーム体によって前記被案内部を中心として前記背ボトムが起立されると共に、前記連係アーム体によって背ボトムがベッドのヘッド側にスライド移動されるようになっており、
さらに、前記ボトムを構成するベッド利用者の臀部下に位置する臀部下ボトムを、この臀部下ボトムにおけるベッドのヘッド側の端部を自由端とするように前記フレームに回動可能に備えさせており、
前記背ボトムに前記臀部下ボトムの前記自由端の被載置部に対する載置部を備えさせてなるものとした。
【０００７】
前記背ボトムが伏倒位置にあるときは、載置部によって臀部下ボトムの被載置部を支持して臀部下ボトムを基準位置に位置づけることができる。前記背ボトムが起立されると載置部を下方に移動させることができ、これにより、臀部下ボトムを自重により自由端を下降させるように傾動させることができる。この結果、前記背ボトムが起立されるときに、前記背ボトムの起立動作の中心をベッドのヘッド側に移動させながら、さらに、背ボトムに隣り合う臀部下ボトムを背ボトム側に位置される自由端を傾動下とするように傾動させて、ボトム上に載置されるマットレスの屈曲中心を下方に移動させることができる。これにより、背ボトムの起立動作時にベッド利用者の腹部に圧迫感を与えてしまう事態の発生を、簡素な構造をもってより効果的に防止することができる。
【発明の効果】
【０００８】
この発明によれば、背ボトムの起立動作によってベッド利用者の腹部に圧迫感を与えてしまう事態を、機構の複雑化を招くことなく、より効果的に防止することができる。
【図面の簡単な説明】
【０００９】
【図１】図１は実施の形態にかかる電動ベッドの斜視構成図であり、背ボトムは最大起立位置にある。
【図２】図２は前記電動ベッドの要部斜視構成図であり、背ボトムは中間起立位置にある。
【図３】図３は図２の状態を背ボトム及び臀部下ボトムのプレート体を省略して表した斜視構成図である。
【図４】図４は図１の状態を背ボトム及び臀部下ボトムのプレート体を省略してベッドのヘッド側から見て表した斜視構成図である。
【図５】図５は前記電動ベッドの要部側面構成図であり、背ボトムは伏倒位置にある。
【図６】図５は前記電動ベッドの要部側面構成図であり、背ボトムは中間起立位置にある。
【図７】図７は前記電動ベッドの要部側面構成図であり、背ボトムは最大伏倒位置にある。
【発明を実施するための形態】
【００１０】
以下、図１〜図７に基づいて、この発明の典型的な実施の形態について、説明する。この実施の形態にかかる動作機構は、電動ベッドのボトム１の一部となるベッド利用者の背部下に位置する背ボトム２を起伏動させると共に、背ボトム２が起立するときに電動ベッドのボトム１の一部となるベッド利用者の臀部下に位置する臀部下ボトム３の自由端３ｆ側を下降させるために、電動ベッドに適用されるものである。
【００１１】
前記ボトム１はフレーム４に支持され、ボトム１上にマットレス（図示は省略する。）が載置される。前記フレーム４はさらに典型的には図示しないベースに昇降可能に支持される。
【００１２】
図示の例では、フレーム４は、ベッドの長さ方向を中程の位置よりヘッド側Ｈとなる箇所を構成するヘッド側フレーム４ａと、前記中程の位置よりフット側Ｆとなる箇所を構成するフット側フレーム４ｉとに区分されている。そして、ヘッド側フレーム４ａに前記背ボトム２と前記臀部下ボトム３が支持され、ベッド利用者の脚側を支持するその余のボトム５が前記フット側フレーム４ｉに支持されるようになっている（各図において、フット側フレーム４ｉ及びその余のボトム５は想像線で示す）。
【００１３】
図示の例では、ヘッド側フレーム４ａは、左右のサイドフレーム４ｂ、４ｂと、ベッドのヘッド側Ｈにおいて左右のサイドフレーム４ｂ、４ｂ間に架設されたクロスフレーム４ｃと、ベッドのフット側Ｆにおいて左右のサイドフレーム４ｂ、４ｂ間に架設されたクロスフレーム４ｄと、二カ所のクロスフレーム４ｃ、４ｄ間に架設された二本の中間フレーム４ｅ、４ｅとから構成されている。二本の中間フレーム４ｅ、４ｅによって、ヘッド側フレーム４ａの内方の空間は、左側のサイドフレーム４ｂと左側の中間フレーム４ｅとの間の左側空間４ｆと、左右のサイドフレーム４ｂ、４ｂ間の中央空間４ｇと、右側のサイドフレーム４ｂと右側の中間フレーム４ｅとの間の右側空間４ｈとの三つに分割された状態となっている（図４参照）。
【００１４】
背ボトム２は、矩形の外郭フレーム２ａと、外郭フレーム２ａにおけるベッドのヘッド側辺部２ｂとフット側辺部２ｃとの間に架設された二本の中間バー２ｄ、２ｄと、前記外郭フレーム２ａと中間バー２ｄとを利用して張り込まれるプレート体２ｅとを備えた構成となっている。
【００１５】
臀部下ボトム３は、矩形の外郭フレーム３ａと、外郭フレーム３ａにおけるベッドのヘッド側辺部３bとフット側辺部３ｃとの間に架設された中間バー３ｄと、前記外郭フレーム３ａと中間バー３ｄとを利用して張り込まれるプレート体３ｅとを備えた構成となっている。
【００１６】
前記ヘッド側フレーム４ａには、ベッドの長さ方向にレール延長方向を沿わせたレール部６が備えられている。図示の例ではレール部６は、サイドフレーム４ｂの長さ方向略中程の位置よりややベッドのフット側Ｆに偏った位置において、左右のサイドフレーム４ｂ、４ｂ内側にそれぞれ設けられている。図示の例では、チャンネル状材６ａの溝側と反対の背側をサイドフレーム４ｂの内面に止着することでサイドフレーム４ｂにチャンネル状材６ａが取り付けられ、このチャンネル状材６ａの溝が前記レール部６として機能するようになっている。
【００１７】
前記背ボトム２は、前記レール部６に案内される被案内部２ｆを備えている。かかる被案内部２ｆは、背ボトム２におけるベットのフット側Ｆの端部に備えられている。図示の例では、被案内部２ｆは、背ボトム２を構成する外郭フレーム２ａにおけるフット側辺部２cと外郭フレーム３ａの右辺部との間の隅部近傍においてこの右辺部より突き出す図示しない軸部を中心に回転するように備えられたローラ部、及び、背ボトム２を構成する外郭フレーム３ａにおけるフット側辺部２cと外郭フレーム３ａの左辺部との間の隅部近傍においてこの左辺部より突き出す図示しない軸部を中心に回転するように備えられたローラ部によって構成されている。そして、背ボトム２とフレーム４とは、背ボトム２の右側の被案内部２ｆとしてのローラ部を右側のサイドフレーム４ｂに設けられたレール部６内に納め、かつ、背ボトム２の左側の被案内部２ｆとしてのローラ部を左側のサイドフレーム４ｂに設けられたレール部６内に納めて組み合わされている。これにより、背ボトム２は、レール部６によって、ベッドの長さ方向に沿ったスライド移動と、被案内部２ｆを中心とした回動とが可能になっている。
【００１８】
前記レール部６よりもベッドのヘッド側Ｈには、前記左右の中間フレーム４ｅ、４ｅ間に駆動軸７が架設されている。駆動軸７はその軸線をベッドの左右方向に沿わせると共に、右側の軸端を右側の中間フレーム４ｅに回転可能に軸支され且つ左側の軸端を左側の中間フレーム４ｅに回転可能に軸支されている。
【００１９】
前記駆動軸７は駆動手段８により回転されるようになっている。図示の例では、かかる駆動手段８は電動アクチュエータ８ａによって構成されている。図示の例では、かかる電動アクチュエータ８ａは可動部８ｂをベッドの長さ方向に沿って移動させる構成となっている。電動アクチュエータ８ａは図示しないコントロールユニットとコントローラを有し、前記可動部８ｂの移動は制御可能となっている。図示の例では、電動アクチュエータ８ａは前記中央空間４ｇ下において前記フット側Ｆのクロスフレーム４dに上下方向に揺動可能に枢支されている。前記可動部８ｂは、基部を前記駆動軸７の中間部に固定した第一連係腕体９の自由端にベッドの左右方向に軸中心線を沿わせたピン１０を介して可動部８ｂの突き出し端を揺動可能に取り付けることで、駆動軸７に組み合わされている。これにより、図示の例では、背ボトム２が伏倒位置にある状態から電動アクチュエータ８ａの可動部８ｂがベッドのヘッド側Ｈに往動移動すると駆動軸７が正転されて後述のリフトアーム体５によって背ボトム２が起立するようになっている。
【００２０】
また、前記駆動軸７には、背ボトム２が伏倒位置にある状態において、この駆動軸７に基部を固定させてこの駆動軸７からベッドのヘッド側Ｈに延び出して、その延び出し端を前記背ボトム２の裏面部に対する摺接部１１ａとする二本のリフトアーム体１１が備えられている。図示の例では二本のリフトアーム体１１、１１はそれぞれ、その基部を前記中央空間４ｇ内において駆動軸７に固定させている。二本のリフトアーム体１１、１１の間において、駆動軸７に電動アクチュエータ８ａの前記可動部８ｂが前記のように組み合わされている。リフトアーム体１１の延び出し端には、ベッドの左右方向に軸中心線を沿わせた軸体を介してローラ１１ｂが回転可能に取り付けられている。そして、背ボトム２の裏面部、図示の例では中間バー２ｄにこのローラ１１ｂが常時接するようになっている。すなわち、図示の例では、かかるローラ１１ｂが前記摺接部１１ａとして機能するようになっている。
【００２１】
また、前記駆動軸７には、背ボトム２が伏倒位置にある状態において、この駆動軸７に基部を固定させてこの駆動軸７からベッドのフット側Ｆに突き出す連係アーム体としての第二連係腕体１２が備えられている。第二連係腕体１２は駆動軸７の左右にそれぞれ備えられている。
【００２２】
また、右側の第二連係腕体１２は右側に配されたリンク体１３によって背ボトム２と連係され、左側の第二連係腕体１２は左側に配されたリンク体１３によって背ボトム２と連係されている。かかるリンク体１３は、ベットのヘッド側Ｈに位置される端部１３ａを第二連係腕体１２の延び出し端に回動可能に組み合わせると共に、ベッドのフット側Ｆに位置される端部１３ｂを前記中央空間４ｇ内において中間バー２ｄのフット側Ｆの端部に回動可能に組み合わせて、第二連係腕体１２と背ボトム２との間に架設されている。
【００２３】
そして、前記駆動手段８により前記駆動軸７が正転されたときに、摺接部１１ａを上方に移動させる向きに回動されるリフトアーム体１１によって前記被案内部２ｆを中心として前記背ボトム２が起立されると共に、前記第二連係腕体１２によって背ボトム２の被案内部２ｆがベッドのヘッド側Ｈに移動されるようになっている。
【００２４】
背ボトム２の起立動作の中心である前記被案内部２ｆは、前記レール部６に案内されて背ボトム２の起立量の増加に実質的に比例するようにベッドのヘッド側Ｈに移動される（図５から図６、図６から図７）。これにより、この実施の形態にかかる動作機構によれば、簡素な構造をもって、背ボトム２の起立動作時においてこのボトム上に載置されるマットレスの屈曲中心がベッドのフット側Ｆへ移動しないようにすることができる。最大起立位置にある背ボトム２がある状態から（図７）、電動アクチュエータ８ａが復動すると駆動軸７が逆転し、リフトアーム体１１は摺接部１１ａを下方に移動させる向きに回動され、背ボトム２は起立量を徐々に減少させながらフット側Ｆに移動され、再び起立前の基準位置に復帰される（図５）。
【００２５】
前記臀部下ボトム３は、この臀部下ボトム３におけるベッドのヘッド側Ｈの端部を自由端３ｆとするように前記フレーム４に回動可能に備えられている。
【００２６】
図示の例では、臀部下ボトム３は、前記背ボトム２と前記フレーム４のフット側Ｆのクロスフレーム４ｄとの間において、前記フレーム４に備えられている。
【００２７】
図示の例では、臀部下ボトム３を構成する外郭フレーム３ａのベッドのフット側辺部３ｃに、このフット側辺部３ｃの左右にそれぞれ軸受け部３ｇが形成されており、ベッドの左右方向に軸線を沿わせた軸体３ｈを介して前記フレーム４のフット側Ｆのクロスフレーム４ｄに臀部下ボトム３が回動可能に組み合わされている。これにより、臀部下ボトム３は、張り込まれるプレート体の上面を水平にした基準位置（図５）と、外郭フレーム３ａのベッドのヘッド側辺部３ｂを前記フレーム４の中間フレーム４ｅに接しさせる最大傾動位置（図７）との間で回動されるようになっている。
【００２８】
また、前記背ボトム２には、前記臀部下ボトム３の前記自由端３ｆの被載置部３ｉに対する載置部２ｇが備えられている。
【００２９】
図示の例では、背ボトム２の外郭フレーム２ａのフット側辺部２ｃであって、前記フレーム４の左側空間４ｆ及び右側空間４ｈに位置される箇所にそれぞれ、フット側辺部２ｃから下方に突き出す基部２ｉと、この基部２ｉの突き出し端からベッドのフット側Ｆに向けて突き出す延出部２ｊとを備えたＬ字状部材２ｈが備えられている（図４）。
【００３０】
一方、臀部下ボトム３の外郭フレーム３ａのヘッド側辺部３ｂであって、前記左右のＬ字状部材２ｈ、２ｈの延出部２ｊの直上にはそれぞれ、ベッドの左右方向に回転軸を沿わせるようにしたローラ３ｊが備えられている。そして、図示の例では、前記延出部２ｊに前記ローラ３ｊを接しさせて所定の起立位置に至るまでの間、背ボトム２によって臀部下ボトム３の自由端３ｆ側が支持されるようになっている。すなわち、図示の例では、前記Ｌ字状部材２ｈの延出部２ｊが前記載置部２ｇとして、前記ローラ３ｊが前記被載置部３ｉとして、機能するようになっている。
【００３１】
前記背ボトム２が、そのプレート体２ｅの上面を水平に位置させる伏倒位置（基準位置）にあるときは、載置部２ｇによって臀部下ボトム３の被載置部３ｉを支持して臀部下ボトム３をそのプレート体３ｅの上面を水平に位置させる基準位置に位置づけることができる。前記背ボトム２が起立されると載置部２ｇは下方に移動するようになっている。すなわち、背ボトム２の起立動作の中心である前記被案内部２ｆを挟んだフット側Ｆに載置部２ｇが備えられている。これにより、臀部下ボトム３は自重により自由端３ｆを下降させるように傾動される。この結果、前記背ボトム２が起立されるときに、前記のように前記背ボトム２の起立動作の中心をベッドのヘッド側Ｈに移動させながら、さらに、背ボトム２に対してベッドのフット側Ｆにあって隣り合う臀部下ボトム３を背ボトム２側に位置される自由端３ｆを傾動下とするように傾動させて、ボトム上に載置される図示しないマットレスの屈曲中心を下方に移動させることができる。これにより、背ボトム２の起立動作時にベッド利用者の腹部に圧迫感を与えてしまう事態の発生を、簡素な構造をもってより効果的に防止するようになっている。背ボトム２が最大起立位置にあり、したがって、臀部下ボトム３が最大傾動位置にある状態から背ボトム２が基準位置に向けて復動されると、所定位置で再び載置部２ｇが下方より被載置部３ｉとしてのローラ３ｊに接しこれにより臀部下ボトム３の自由端３ｆが持ち上げられ臀部下ボトム３は基準位置に向けて復動されることとなる。
【００３２】
なお、当然のことながら、本発明は以上に説明した実施形態に限定されるものではなく、本発明の目的を達成し得るすべての実施形態を含むものである。
【符号の説明】
【００３３】
Ｈ  ヘッド側
２  背ボトム
２ｇ  載置部
３  臀部下ボトム
３ｆ  自由端
３ｉ  被載置部
７  駆動軸
【図１】
2019010238.tif 000003
【図２】
2019010238.tif 000004
【図３】
2019010238.tif 000005
【図４】
2019010238.tif 000006
【図５】
2019010238.tif 000007
【図６】
2019010238.tif 000008
【図７】
2019010238.tif 000009